(57)【要約】  空気調和機は、吸い込み口および吹き出し口が設けられた筐体と、筐体の内部で吸い込み口から吹き出し口に至る風路内に配置されたファンと、風路内に配置され、ファンによって吸い込み口から吸い込まれた室内空気と冷媒とを熱交換する熱交換器と、吹き出し口に設けられ、吹き出し空気の上下の風向を変更する上下風向板と、吹き出し口に設けられ、吹き出し空気の左右の風向を変更する左右風向板と、室内の温度を検知する温度検知手段と、室内の冷媒を検知する冷媒検知手段と、ファン、上下風向板、および、左右風向板を制御する制御装置と、を備え、制御装置は、冷媒検知手段により冷媒を検知し、かつ、温度検知手段により基準値以上の温度を有する高温物を検知した場合に、高温物に向かって風が吹くように上下風向板および左右風向板を制御するものである。
2017183104.tif 000002
【特許請求の範囲】
【請求項１】
吸い込み口および吹き出し口が設けられた筐体と、
前記筐体の内部で前記吸い込み口から前記吹き出し口に至る風路内に配置されたファンと、
前記風路内に配置され、前記ファンによって前記吸い込み口から吸い込まれた室内空気と冷媒とを熱交換する熱交換器と、
前記吹き出し口に設けられ、吹き出し空気の上下の風向を変更する上下風向板と、
前記吹き出し口に設けられ、前記吹き出し空気の左右の風向を変更する左右風向板と、
室内の温度を検知する温度検知手段と、
室内の冷媒を検知する冷媒検知手段と、
前記ファン、前記上下風向板、および、前記左右風向板を制御する制御装置と、を備え、
前記制御装置は、
前記冷媒検知手段により冷媒を検知し、かつ、前記温度検知手段により基準値以上の温度を有する高温物を検知した場合に、
前記高温物に向かって風が吹くように前記上下風向板および前記左右風向板を制御する
空気調和機。
【請求項２】
前記高温物との距離を測定する距離測定手段を備え、
前記制御装置は、
前記冷媒検知手段により冷媒を検知し、かつ、前記温度検知手段により前記高温物を検知することに加えて、
前記高温物までの距離が基準値以内であれば、
前記高温物に向かって風が吹くように前記上下風向板および前記左右風向板を制御する
請求項１に記載の空気調和機。
【請求項３】
前記制御装置は、
前記高温物までの距離が基準値外であれば、
下に向かって風が吹くように前記上下風向板を制御し、かつ、前記高温物とは異なる方向に向かって風が吹くように前記左右風向板を制御する
請求項２に記載の空気調和機。
【請求項４】
前記制御装置は、
前記冷媒検知手段により冷媒を検知したが、前記温度検知手段により前記高温物を検知しなかった場合に、下に向かって風が吹くように前記上下風向板を制御する
請求項１〜３のいずれか一項に記載の空気調和機。
【請求項５】
前記制御装置は、
前記冷媒検知手段により冷媒を検知した場合に、前記吹き出し口から吹き出す気流速度が最大流速となるように前記ファンの回転数を制御する
請求項１〜４のいずれか一項に記載の空気調和機。
【請求項６】
前記制御装置は、
前記高温物までの距離が基準値以内であれば、
冷媒の燃焼速度と前記高温物までの距離とに基づいて前記ファンの回転数を制御する
請求項２に記載の空気調和機。
【発明の詳細な説明】
【技術分野】
【０００１】
本発明は、可燃性冷媒を用いた空気調和機に関し、特に冷媒漏洩時の制御に関するものである。
【背景技術】
【０００２】
これまで空気調和機には、冷媒回路に充填される冷媒としてＨＦＣ冷媒のＲ４１０Ａが主として用いられていた。このＲ４１０Ａは、従来のＲ２２のようなＨＣＦＣ冷媒と異なり、オゾン層破壊係数ＯＤＰがゼロであってオゾン層を破壊することはないが、地球温暖化係数ＧＷＰが高いという性質を有している。そのため、地球の温暖化防止の一環とし、Ｒ４１０ＡのようなＧＷＰが高いＨＦＣ冷媒から、ＧＷＰが低いＨＦＣ冷媒へと変更する動きが出てきている。【０００３】
そのような低ＧＷＰのＨＦＣ冷媒としては、例えば、組成中に炭素の二重結合を有するハロゲン化炭化水素があり、代表的なものとして、ＨＦＯ−１２３４ｙｆ（ＣＦ３ＣＦ＝ＣＨ２；テトラフルオロプロパン）、ＨＦＯ−１２３４ｚｅ（ＣＦ３−ＣＨ＝ＣＨＦ）、ＨＦＯ−１１２３（ＣＦ２＝ＣＨＦ）などがある。これらはＨＦＣ冷媒の一種ではあるが、炭素の二重結合を持つ不飽和炭化水素がオレフィンと呼ばれることから、オレフィンのＯを使って、ＨＦＯと表現されることが多い。そこで本明細書においては、これらをＨＦＯ冷媒と称して、Ｒ４１０Ａを構成するＲ３２（ＣＨ２Ｆ２；ジフルオロメタン）およびＲ１２５（ＣＨＦ２−ＣＦ３；ペンタフルオロエタン）のように、組成中に炭素の二重結合を持たないＨＦＣ冷媒と区別するものとする。【０００４】
このような低ＧＷＰのＨＦＯ冷媒は、単一冷媒として用いられる場合もあり得るが、Ｒ３２に代表されるような他のＨＦＣ冷媒との複数種の混合冷媒として用いられる可能性が高い。これらＨＦＯ冷媒、もしくはＨＦＯ冷媒とＨＦＣ冷媒との混合冷媒は、Ｒ２９０（Ｃ３Ｈ８；プロパン）のようなＨＣ冷媒ほど強燃性ではないものの、不燃性であるＲ４１０Ａとは異なり、微燃レベルの可燃性を有している。そのため、冷媒漏洩に対する注意が必要であり、これ以降、微燃性から強燃性まで含めて可燃性を有する冷媒のことを可燃性冷媒と称する。Ｒ３２は単体冷媒としてはＨＦＯ冷媒と同じように微燃性を呈する、すなわち可燃性冷媒であるので、ＨＦＯ冷媒とＲ３２との混合冷媒も可燃性冷媒となる。なお、Ｒ３２にＲ１２５が混合されたＲ４１０ＡはＲ１２５の特性により不燃性である。【０００５】
このような可燃性冷媒は、室内に漏洩した場合、漏洩冷媒が拡散することなく滞留すれば、そこに可燃濃度の気相が形成される可能性があり、もしこの可燃濃度の気相に何らかの着火源となり得るものが存在していれば、冷媒に引火する恐れがある。そのような室内における漏洩冷媒への引火という事態の発生を回避するためには、空気調和機としてまずは、冷媒の漏洩を検知することが必要となってくる。
そこで、従来、冷媒の漏洩を検知する空気調和機が提案されている（例えば、特許文献１参照）。【０００６】
特許文献１では、温度センサと冷媒漏洩判断部とを備え、温度センサが検知した冷媒温度が所定速度を越えて下降した時に、冷媒漏洩判定部は冷媒が漏洩していると判断し、冷媒の漏洩を検知している。そして、冷媒の漏洩を検知した場合には、室内ファンを運転して下に向かって風が吹くようにすることで、室内に溜まった冷媒を拡散し、着火濃度まで濃度上昇するのを防止し、漏洩冷媒への引火を回避している。
【先行技術文献】
【特許文献】
【０００７】
【特許文献１】特開２０００−８１２５８号公報
【発明の概要】
【発明が解決しようとする課題】
【０００８】
特許文献１は、空気調和機の室内機から近く、冷媒が溜まりやすい位置に、例えばストーブなどの着火源となり得るものが配置されていた場合、下に向かって風が吹くようにして室内に溜まった冷媒を拡散したとしても、再び着火源となり得るものの近くに冷媒が溜まり、着火濃度まで濃度上昇してしまう恐れがあり、漏洩冷媒への引火を回避できない可能性があった。【０００９】
本発明は、以上のような課題を解決するためになされたもので、冷媒漏洩時において漏洩冷媒への引火を確実に回避することができる空気調和機を提供することを目的としている。
【課題を解決するための手段】
【００１０】
本発明に係る空気調和機は、吸い込み口および吹き出し口が設けられた筐体と、前記筐体の内部で前記吸い込み口から前記吹き出し口に至る風路内に配置されたファンと、前記風路内に配置され、前記ファンによって前記吸い込み口から吸い込まれた室内空気と冷媒とを熱交換する熱交換器と、前記吹き出し口に設けられ、吹き出し空気の上下の風向を変更する上下風向板と、前記吹き出し口に設けられ、前記吹き出し空気の左右の風向を変更する左右風向板と、室内の温度を検知する温度検知手段と、室内の冷媒を検知する冷媒検知手段と、前記ファン、前記上下風向板、および、前記左右風向板を制御する制御装置と、を備え、前記制御装置は、前記冷媒検知手段により冷媒を検知し、かつ、前記温度検知手段により基準値以上の温度を有する高温物を検知した場合に、前記高温物に向かって風が吹くように前記上下風向板および前記左右風向板を制御するものである。
【発明の効果】
【００１１】
本発明に係る空気調和機によれば、制御装置は、冷媒検知手段により冷媒の漏洩を検知し、かつ、温度検知手段により基準値以上の温度を有する高温物を検知したら、高温物に向かって風が吹くように上下風向板および左右風向板を制御する。そのため、着火源となり得る高温物の周辺から冷媒を拡散することができ、冷媒漏洩時において漏洩冷媒への引火を確実に回避することができる。
【図面の簡単な説明】
【００１２】
【図１】本発明の実施の形態１に係る空気調和機の冷媒回路を示した概略図である。
【図２】本発明の実施の形態１に係る空気調和機の室内機の設置例を示す模式図である。
【図３】本発明の実施の形態１に係る空気調和機の室内機の縦断面を側面から見た模式図である。
【図４】本発明の実施の形態１に係る空気調和機の室内機の吹き出し口周辺を拡大した模式図である。
【図５】本発明の実施の形態１に係る空気調和機の室内機の制御の一例を示すフローチャートである。
【図６】本発明の実施の形態２に係る空気調和機の室内機の制御の一例を示すフローチャートである。
【発明を実施するための形態】
【００１３】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１４】
実施の形態１．
図１は、本発明の実施の形態１に係る空気調和機１の冷媒回路１０を示した概略図である。なお、図１中の実線の矢印は、冷房運転時の冷媒の流れを示しており、破線の矢印は、暖房運転時の冷媒の流れを示している。
図１に示すように、空気調和機１は、室内機２０と、室外機３０とを備えている。室内機２０は、室内熱交換器２１と、室内ファン２２とを備えている。室外機３０は、室外熱交換器３１と、室外ファン３２と、圧縮機３３と、四方切換弁３４と、膨張弁３５とを備えている。室内機２０と室外機３０とは、ガス配管１１と液配管１２とからなる外部接続配管を介して接続されており、これにより冷媒が充填された冷媒回路１０が構成されている。
【００１５】
冷媒回路１０は、圧縮機３３、四方切換弁３４、室外熱交換器３１、膨張弁３５、および、室内熱交換器２１が順次配管で接続され、冷媒が循環する。空気調和機１の運転中は、この冷媒回路１０で蒸気圧縮式冷凍サイクルが動作する。この冷媒回路１０内の冷媒として、ここでは上述したＨＦＯ冷媒の一種であるＨＦＯ−１２３４ｙｆとＨＦＣ冷媒の一種であるＲ３２との混合冷媒が用いられている。ＨＦＯ−１２３４ｙｆもＲ３２もともに微燃レベルの可燃性を有しており、この混合冷媒は可燃性冷媒である。なお、この混合冷媒の重量比は、ＨＦＯ１２３４ｙｆ：Ｒ３２＝４：６であるとする。
【００１６】
また、対空気の冷媒ガス濃度の可燃範囲は、ＨＦＯ１２３４ｙｆで６．２〜１２．３ｖｏｌ％、Ｒ３２で１４．４〜２９．３ｖｏｌ％であり、ここではこれらの混合冷媒を用いているので、混合比に応じて可燃濃度の範囲は、下限が６．２ｖｏｌ％より大きく、上限が２９．３ｖｏｌ％よりも小さくなる。
【００１７】
空気調和機１では、四方切換弁３４の経路を切り換えることにより、冷房運転と暖房運転とを切り換えることができる。図１において実線で示される四方切換弁３４の経路の場合、空気調和機１は冷房運転を行う。一方、図１において破線で示される四方切換弁３４の経路の場合、空気調和機１は暖房運転を行う。
【００１８】
図２は、本発明の実施の形態１に係る空気調和機１の室内機２０の設置例を示す模式図であり、図３は、本発明の実施の形態１に係る空気調和機１の室内機２０の縦断面を側面から見た模式図であり、図４は、本発明の実施の形態１に係る空気調和機１の室内機２０の吹き出し口２３ｂ周辺を拡大した模式図である。なお、図２中の矢印は、風が吹き出す方向を示しており、図３中の矢印は、上下風向板２５が移動する方向を示しており、図４中の矢印は、左右風向板２４が移動する方向を示している。
【００１９】
なお、以下の説明において、理解を容易にするために方向を表す用語、例えば「上」、「下」、「右」、「左」など、を適宜用いるが、これは説明のためのものであって、これらの用語は本願発明を限定するものではない。また、本実施の形態１では、空気調和機１の室内機２０を正面視した状態において、「上」、「下」、「右」、「左」を使用する。
【００２０】
図２に示すように、室内機２０は、部屋２の壁に設置されており、同じ部屋２内、つまり室内には高温物３が設置されている。ここで、高温物３とは、表面温度が基準値以上となる部分を有する物体のことであり、例えばストーブ、コンロなどの表面温度が１００℃以上となる部分を有する物体である。
【００２１】
図２〜図４に示すように、室内機２０は、横長の直方体形状に形成された筐体２３を有し、筐体２３の天面には室内空気を吸い込むための吸い込み口２３ａが形成されており、筐体２３の下面には空調空気を吹き出すための吹き出し口２３ｂが形成されている。なお、筐体２３は、横長の直方体形状に限定されず、吸い込み口２３ａのような室内空気を吸い込むための開口部と、吹き出し口２３ｂのような空調空気を吹き出すための開口部とが一箇所以上設けられている箱体形状であれば、いかなる形状でもよい。
【００２２】
吹き出し口２３ｂの近傍には、水平または左右に移動し、左右の風向を変更する左右風向板２４と、鉛直または上下に移動し、上下の風向を変更する上下風向板２５とが設けられている。筐体２３の内部で吸い込み口２３ａから吹き出し口２３ｂに至る風路内には、モータ（図示せず）の駆動によって空気の流れを生じさせる室内ファン２２と、室内ファン２２によって吸い込み口２３ａから吸い込まれた室内空気と冷媒とを熱交換して空調空気を生成する室内熱交換器２１とが配置されている。
【００２３】
なお、室内ファン２２は、本発明の「ファン」に相当し、空調空気は、本発明の「吹き出し空気」に相当する。
【００２４】
室内機２０は、室内の温度分布を検知する温度検知手段２６と、室内の冷媒の漏洩を検知する冷媒検知手段２７と、対象物との距離を測定する距離測定手段２８と、を備えている。
温度検知手段２６は、例えば、温度の高い物体に反応する焦電素子を多数配列し、部屋２内の熱画像を検知するセンサである。
【００２５】
冷媒検知手段２７は、例えば、金属酸化物 半導体が冷媒ガスと接触した時に発生する抵抗値の変化を空気中の冷媒ガス濃度として検出する半導体式ガスセンサである。なお、半導体式ガスセンサ以外でもよく、例えば、赤外線がガスによって吸収される量で検知する非分散型赤外線方式のセンサ、冷媒ガス濃度の測定はできないが、冷媒ガスの有無は検知できる方式のもの、室内の酸素濃度を測定する酸素濃度計、などであってもよい。
【００２６】
距離測定手段２８は、例えば、レーザー光の反射により対象物との距離を瞬時に測定できるレーザー距離計である。そして、温度検知手段２６により対象物となる高温物３を検知することにより、室内機２０と高温物３の距離を測定することができる。なお、レーザー距離計以外でもよく、例えば、熱画像を取得し、その熱画像から対象物との距離を算出する赤外線センサ、などであってもよい。
【００２７】
また、室内機２０は、左右風向板２４、上下風向板２５、室内ファン２２などを制御する制御装置２９を備えている。
制御装置２９は、例えば、専用のハードウェア、またはメモリに格納されるプログラムを実行するＣＰＵ（Central Processing Unit、中央処理装置、処理装置、演算装置、マイクロプロセッサ、マイクロコンピュータ、プロセッサともいう）で構成される。
【００２８】
ここで、室内機２０内における空気の流れについて簡単に説明する。
吸い込み口２３ａから吸い込まれた室内空気は、室内熱交換器２１を通過する際に室内熱交換器２１の内部を流れる冷媒と熱交換され、冷房運転であれば、熱を奪われ、暖房運転であれば、熱を与えられて、室内ファン２２に至る。その後、風路を通過した空調空気は、吹き出し口２３ｂから室内に向かって吹き出される。
【００２９】
図５は、本発明の実施の形態１に係る空気調和機１の室内機２０の制御の一例を示すフローチャートである。
以下、本実施の形態１に係る空気調和機１の室内機２０の制御の一例について、図５を用いて説明する。
制御装置２９は、冷媒検知手段２７により冷媒の有無を検知し、室内に冷媒が漏洩しているかどうかを判定する（ステップＳ１）。このとき、制御装置２９は、冷媒検知手段２７により基準値以上の冷媒濃度を検知した場合は、室内に冷媒が漏洩していると判定する。
【００３０】
制御装置２９は、室内に冷媒が漏洩していると判定した場合は（ステップＳ１のＹｅｓ）、圧縮機３３が運転中であるかどうかを判定する（ステップＳ２）。
制御装置２９は、圧縮機３３が運転中であると判定した場合は（ステップＳ２のＹｅｓ）、圧縮機３３の運転を停止し（ステップＳ３）、ステップＳ４へ進む。
【００３１】
一方、制御装置２９は、圧縮機３３が運転中ではないと判定した場合は（ステップＳ２のＮｏ）、ステップＳ３を経由せずにステップＳ４へ進む。
ここで、圧縮機３３が運転中である場合は、圧縮機３３の運転を停止することで、さらなる冷媒の漏洩を防いでいる。
【００３２】
制御装置２９は、温度検知手段２６により室内の温度を検知し、室内に高温物３が存在するかどうかを判定する（ステップＳ４）。このとき、制御装置２９は、温度検知手段２６により表面温度が基準値以上となる部分を有する物体を検知した場合は、室内に高温物３が存在していると判定する。
【００３３】
制御装置２９は、室内に高温物３が存在すると判定したら（ステップＳ４のＹｅｓ）、距離測定手段２８により室内機２０から高温物３までの距離を測定し（ステップＳ５）、その距離が基準値以内であるかどうかを判定する（ステップＳ６）。
【００３４】
制御装置２９は、室内機２０から高温物３までの距離が基準値以内であると判定したら（ステップＳ６のＹｅｓ）、吹き出し口２３ｂから吹き出す気流速度（以下、流速とも称する）が最大流速となるように室内ファン２２の回転数を制御し（ステップＳ７）、高温物３に向かって風が吹くように上下風向板２５および左右風向板２４を制御する（ステップＳ８）。
【００３５】
このように、高温物３に向かって風が吹くように上下風向板２５および左右風向板２４を制御することで、着火源となり得る高温物３の周辺から冷媒を拡散することができ、高温物３の周辺に可燃濃度の気相が形成されるのを防ぐことができる。そのため、漏洩冷媒への引火を確実に回避することができる。また、吹き出し口２３ｂから吹き出す気流速度が最大流速となるように室内ファン２２の回転数を制御することで、高温物３周辺での気流速度を冷媒の燃焼速度よりも大きくすることができる。そのため、漏洩冷媒への引火をより確実に回避することができる。
【００３６】
一方、制御装置２９は、室内機２０から高温物３までの距離が基準値以内ではないと判定したら（ステップＳ６のＮｏ）、吹き出し口２３ｂから吹き出す気流速度が最大流速となるように室内ファン２２の回転数を制御し（ステップＳ９）、下に向かって風が吹くように上下風向板２５を制御し、かつ、高温物３とは異なる方向に向かって風が吹くように左右風向板２４を制御する（ステップＳ１０）。例えば、高温物３が室内機２０よりも右側に配置されていた場合は、左方向に向かって風が吹くようにし、高温物３が室内機２０よりも左側に配置されていた場合は、右方向に向かって風が吹くようにする。
【００３７】
漏洩冷媒は室内の床面付近に溜まりやすいため、このように、下に向かって風が吹くように上下風向板２５を制御することで、室内に溜まった冷媒を効率よく拡散することができる。また、高温物３とは異なる方向に向かって風が吹くように左右風向板２４を制御することで、冷媒を着火源となり得る高温物３とは異なる方向に拡散させることができ、高温物３の周辺に可燃濃度の気相が形成されるのを防ぐことができる。そのため、漏洩冷媒への引火を確実に回避することができる。また、吹き出し口２３ｂから吹き出す気流速度が最大流速となるように室内ファン２２の回転数を制御することで、冷媒の拡散を促進することができる。そのため、漏洩冷媒への引火をより確実に回避することができる。
【００３８】
一方、制御装置２９は、室内に高温物３が存在しないと判定したら（ステップＳ４のＮｏ）、吹き出し口２３ｂから吹き出す気流速度が最大流速となるように室内ファン２２の回転数を制御し（ステップＳ１１）、下に向かって風が吹くように上下風向板２５を制御する（ステップＳ１２）。
【００３９】
漏洩冷媒は室内の床面付近に溜まりやすいため、このように、下に向かって風が吹くように上下風向板２５を制御することで、室内に溜まった冷媒を効率よく拡散することができる。そのため、漏洩冷媒への引火を回避することができる。また、吹き出し口２３ｂから吹き出す気流速度が最大流速となるように室内ファン２２の回転数を制御することで、冷媒の拡散を促進することができる。そのため、漏洩冷媒への引火を確実に回避することができる。
【００４０】
以上より、着火源となり得る高温物３の存在を検知した場合は、高温物３に向かって風が吹くように上下風向板２５および左右風向板２４を制御することで、着火源となり得る高温物３の周辺から冷媒を拡散することができ、高温物３の周辺に可燃濃度の気相が形成されるのを防ぐことができる。そのため、漏洩冷媒への引火を確実に回避することができる。
【００４１】
しかし、室内ファン２２が作り出す気流は、高温物３に到達するまでに室内空気の粘性の影響でエネルギー損失が発生し、室内機２０から離れるにつれて速度が低下する。そして、室内機２０と高温物３との距離が離れれば離れるほど、このエネルギー損失は大きくなり、気流速度は低下する。その結果、室内機２０と高温物３との距離が離れすぎていると、高温物３に向かって風を吹いても、高温物３周辺の冷媒を十分に拡散することができず、冷媒を拡散する効果は低い。また、高温物３周辺での気流速度が冷媒の燃焼速度以下となってしまう可能性もあり、漏洩冷媒への引火回避の確実性が損なわれる。その様な場合には、下に向かって、かつ、高温物３とは異なる方向に向かって風が吹いた方が、漏洩冷媒への引火をより確実に回避することができる。
【００４２】
そこで、吹き出し口２３ｂから吹き出す気流速度が最大流速となるように室内ファン２２の回転数を制御した時に、高温物３周辺の冷媒を十分に拡散することができる限界の距離を基準値として、室内機２０から高温物３までの距離が基準値以内、または基準値からマージンを引いた値以内でない場合は、下に向かって、かつ、高温物３とは異なる方向に向かって風が吹くようにする。なお、上記のマージンは、例えば１ｍである。
【００４３】
以上より、本実施の形態１に係る空気調和機１によれば、制御装置２９は、冷媒検知手段２７により冷媒の漏洩を検知し、かつ、温度検知手段２６により基準値以上の温度を有する高温物３を検知したら、高温物３に向かって風が吹くように上下風向板２５および左右風向板２４を制御する。そのため、着火源となり得る高温物３の周辺から冷媒を拡散することができ、高温物３の周辺に可燃濃度の気相が形成されるのを防ぐことができるため、冷媒漏洩時において漏洩冷媒への引火を確実に回避することができる。また、吹き出し口２３ｂから吹き出す気流速度が最大流速となるように室内ファン２２の回転数を制御することで、漏洩冷媒への引火をより確実に回避することができる。
【００４４】
なお、空気調和機１において、運転停止時も温度検知手段２６および冷媒検知手段２７を起動するようにしてもよいし、運転停止時はそれらを停止するようにしてもよい。運転停止時も温度検知手段２６および冷媒検知手段２７を起動させることで、常に部屋２の状態を監視することができるし、運転停止時は温度検知手段２６および冷媒検知手段２７を停止することで、待機電力を低減することができる。
また、温度検知手段２６および冷媒検知手段２７を起動させるかどうかをユーザーが任意に選択できるようにしてもよい。
【００４５】
実施の形態２．
以下、本発明の実施の形態２について説明するが、実施の形態１と重複するものについては（一部の）説明を省略し、実施の形態１と同じ部分または相当する部分には同じ符号を付す。なお、図４は本実施の形態２でも用いる。
【００４６】
図６は、本発明の実施の形態２に係る空気調和機１の室内機２０の制御の一例を示すフローチャートである。
実施の形態１では、室内機２０から高温物３までの距離が基準値以内であると判定したら、吹き出し口２３ｂから吹き出す気流速度が最大流速となるように室内ファン２２の回転数を制御するとしたが、本実施の形態２では、高温物３周辺での気流速度が冷媒の燃焼速度よりも速くなるように室内ファン２２の回転数を制御する。
【００４７】
つまり、室内機２０から高温物３までの距離が基準値以内であるということは、高温物３周辺の冷媒を十分に拡散することができる限界の距離よりも短く、気流速度が最大流速となるまで室内ファン２２の回転数を上げなくても、高温物３周辺の冷媒を十分に拡散することができるということである。そのため、本実施の形態２では、気流速度を必要な速度、つまり、室内ファン２２の回転数を必要な値に抑えている。
【００４８】
以下、本実施の形態２に係る空気調和機１の室内機２０の制御の一例について、図６を用いて説明する。
なお、図６においてステップＳ１３およびステップＳ１４以外は図５と同じであるため、説明を省略する。
制御装置２９は、室内機２０から高温物３までの距離が基準値以内であると判定したら（ステップＳ６のＹｅｓ）、室内機２０から高温物３までの距離、および、用いられている冷媒の燃焼速度に基づいて、設定する気流速度を計算し、その気流速度を設定する（ステップＳ１３）。
【００４９】
なお、本実施の形態２で用いられている冷媒はＨＦＯ１２３４ｙｆとＲ３２との混合冷媒であり、その冷媒の燃焼速度は、約３．１ｃｍ／ｓである。そのため、その燃焼速度に、室内機２０から高温物３までの距離に応じたエネルギー損失分を加えたもの、またはさらにそれにマージンを加えたものを、気流速度として設定する。つまり、高温物３周辺での気流速度が冷媒の燃焼速度よりも速くなる速度を設定する。
【００５０】
制御装置２９は、設定する気流速度を計算したら、その気流速度を設定し（ステップＳ１３）、吹き出し口２３ｂから吹き出す気流速度が設定した気流速度となるように室内ファン２２の回転数を制御し（ステップＳ１４）、高温物３に向かって風が吹くように上下風向板２５および左右風向板２４を制御する（ステップＳ８）。
【００５１】
以上より、本実施の形態２に係る空気調和機１によれば、室内機２０から高温物３までの距離と用いられている冷媒の燃焼速度に基づいて、設定する気流速度を計算し、吹き出し口２３ｂから吹き出す気流速度が設定した気流速度となるように室内ファン２２の回転数を制御する。つまり、気流速度を必要な速度、つまり、室内ファン２２の回転数を必要な値に抑えることで、実施の形態１のように、吹き出し口２３ｂから吹き出す気流速度が最大流速となるように室内ファン２２の回転数を上げる場合に比べ、ノイズおよび消費電力を低減することができる。
【符号の説明】
【００５２】
１  空気調和機、２  部屋、３  高温物、１０  冷媒回路、１１  ガス配管、１２  液配管、２０  室内機、２１  室内熱交換器、２２  室内ファン、２３  筐体、２３ａ  吸い込み口、２３ｂ  吹き出し口、２４  左右風向板、２５  上下風向板、２６  温度検知手段、２７  冷媒検知手段、２８  距離測定手段、２９  制御装置、３０  室外機、３１  室外熱交換器、３２  室外ファン、３３  圧縮機、３４  四方切換弁、３５  膨張弁。
【図１】
2017183104.tif 000003
【図２】
2017183104.tif 000004
【図３】
2017183104.tif 000005
【図４】
2017183104.tif 000006
【図５】
2017183104.tif 000007
【図６】
2017183104.tif 000008
【手続補正書】
【提出日】平成30年7月17日(2018.7.17)
【手続補正１】
【補正対象書類名】明細書
【補正対象項目名】００１０
【補正方法】変更
【補正の内容】
【００１０】
本発明に係る空気調和機は、吸い込み口および吹き出し口が設けられた筐体と、前記筐体の内部で前記吸い込み口から前記吹き出し口に至る風路内に配置されたファンと、前記風路内に配置され、前記ファンによって前記吸い込み口から吸い込まれた室内空気と冷媒とを熱交換する熱交換器と、前記吹き出し口の近傍に設けられ、吹き出し空気の上下の風向を変更する上下風向板、および左右の風向を変更する左右風向板と、室内の温度を検知する温度検知手段と、室内の冷媒を検知する冷媒検知手段と、基準値以上の温度を有する高温物との距離を測定する距離測定手段と、前記ファン、前記上下風向板、および、前記左右風向板を制御する制御装置と、を備え、前記制御装置は、前記冷媒検知手段により冷媒を検知し、かつ、前記温度検知手段により前記高温物を検知した場合に、前記高温物までの距離が基準値以内であれば、前記高温物に向かって風が吹くように前記上下風向板および前記左右風向板を制御するものである。
【手続補正２】
【補正対象書類名】特許請求の範囲
【補正対象項目名】全文
【補正方法】変更
【補正の内容】
【特許請求の範囲】
【請求項１】
吸い込み口および吹き出し口が設けられた筐体と、
前記筐体の内部で前記吸い込み口から前記吹き出し口に至る風路内に配置されたファンと、
前記風路内に配置され、前記ファンによって前記吸い込み口から吸い込まれた室内空気と冷媒とを熱交換する熱交換器と、
前記吹き出し口の近傍に設けられ、吹き出し空気の上下の風向を変更する上下風向板、および左右の風向を変更する左右風向板と、
室内の温度を検知する温度検知手段と、
室内の冷媒を検知する冷媒検知手段と、
基準値以上の温度を有する高温物との距離を測定する距離測定手段と、
前記ファン、前記上下風向板、および、前記左右風向板を制御する制御装置と、を備え、
前記制御装置は、
前記冷媒検知手段により冷媒を検知し、かつ、前記温度検知手段により前記高温物を検知した場合に、
前記高温物までの距離が基準値以内であれば、
前記高温物に向かって風が吹くように前記上下風向板および前記左右風向板を制御する
空気調和機。
【請求項２】
前記制御装置は、
前記冷媒検知手段により冷媒を検知し、かつ、前記温度検知手段により前記高温物を検知した場合に、
前記高温物までの距離が基準値外であれば、
下に向かって風が吹くように前記上下風向板を制御し、かつ、前記高温物とは異なる方向に向かって風が吹くように前記左右風向板を制御する
請求項１に記載の空気調和機。
【請求項３】
前記制御装置は、
前記冷媒検知手段により冷媒を検知したが、前記温度検知手段により前記高温物を検知しなかった場合に、下に向かって風が吹くように前記上下風向板を制御する
請求項１または２に記載の空気調和機。
【請求項４】
前記制御装置は、
前記冷媒検知手段により冷媒を検知した場合に、前記吹き出し口から吹き出す気流速度が最大流速となるように前記ファンの回転数を制御する
請求項１〜３のいずれか一項に記載の空気調和機。
【請求項５】
前記制御装置は、
前記高温物までの距離が基準値以内であれば、
冷媒の燃焼速度と前記高温物までの距離とに基づいて前記ファンの回転数を制御する
請求項１に記載の空気調和機。
【国際調査報告】
2017183104.tif 000009
2017183104.tif 000010
2017183104.tif 000011
2017183104.tif 000012